(57)【要約】【課題】空調装置におけるドレン水の発生を抑制することを目的とする。【解決手段】室内機及び室外機を有する空調装置と、空調装置の被空調空間の湿度を調整する湿度調整装置と、を管理する空調制御システムであって、空調装置の被空調空間の湿度を取得する湿度取得手段と、記湿度に基づいて、露点温度を特定する露点温度特定手段と、室内機が備える熱交換器に導かれる液冷媒管の温度を、冷媒の実蒸発温度として取得する実蒸発温度取得手段と、冷媒の実蒸発温度が露点温度よりも高くなるような制御を行う制御手段とを有することを特徴とする。【選択図】図５
2020134064.tif 000002
【特許請求の範囲】
【請求項１】
室内機及び室外機を有する空調装置と、前記空調装置の被空調空間の湿度を調整する湿度調整装置と、を管理する空調制御システムであって、
前記空調装置の被空調空間の湿度を取得する湿度取得手段と、
前記湿度に基づいて、露点温度を特定する露点温度特定手段と、
前記室内機が備える熱交換器に導かれる液冷媒管の温度を、冷媒の実蒸発温度として取得する実蒸発温度取得手段と、
前記冷媒の実蒸発温度が前記露点温度よりも高くなるような制御を行う制御手段と
を有することを特徴とする空調制御システム。
【請求項２】
前記制御手段は、前記実蒸発温度が前記露点温度よりも高くなるように、前記室外機が備える圧縮機の周波数を制御することを特徴とする請求項１に記載の空調制御システム。
【請求項３】
前記制御手段は、前記実蒸発温度が前記露点温度以下の場合に、前記実蒸発温度と前記露点温度の差分に応じて前記圧縮機の周波数を下げることを特徴とする請求項２に記載の空調制御システム。
【請求項４】
前記制御手段は、前記実蒸発温度が前記露点温度以下の場合に、前記実蒸発温度が前記露点温度よりも高くなるまで、前記圧縮機の周波数を一定量ずつ段階的に下げることを特徴とする請求項２に記載の空調制御システム。
【請求項５】
前記空調装置の設定温度に基づいて、目標蒸発温度候補を決定する目標蒸発温度候補決定手段と、
前記目標蒸発温度候補が前記露点温度以下の場合に、前記実蒸発温度よりも高い値を目標蒸発温度として決定し、前記目標蒸発温度候補が前記露点温度よりも高い場合に、前記目標蒸発温度候補を前記目標蒸発温度として決定する目標蒸発温度決定手段と
をさらに有し、
前記制御手段は、前記実蒸発温度が前記目標蒸発温度と等しくなるように、前記圧縮機の周波数を制御することを特徴とする請求項２に記載の空調制御システム。
【請求項６】
前記制御手段は、前記実蒸発温度が前記目標蒸発温度よりも低い場合に、前記実蒸発温度と前記目標蒸発温度の差分に応じて前記圧縮機の周波数を下げることを特徴とする請求項５に記載の空調制御システム。
【請求項７】
前記制御手段は、前記実蒸発温度が前記目標蒸発温度よりも高い場合に、前記実蒸発温度と前記目標蒸発温度の差分に応じて前記圧縮機の周波数を上げることを特徴とする請求項５又は６に記載の空調制御システム。
【請求項８】
前記制御手段は、前記実蒸発温度が前記目標蒸発温度と異なる場合に、前記実蒸発温度が前記目標蒸発温度と等しくなるまで、前記実蒸発温度と前記目標蒸発温度の大小関係に応じて、前記圧縮機の周波数を一定量ずつ増減することを特徴とする請求項５に記載の空調制御システム。
【請求項９】
前記室外機は、
前記湿度取得手段と、
前記露点温度特定手段と、
前記実蒸発温度取得手段と、
前記制御手段と
を有することを特徴とする請求項１乃至８の何れか１項に記載の空調制御システム。
【請求項１０】
前記空調制御システムは、前記空調装置及と通信可能な管理装置をさらに備え、
前記管理装置は、
前記湿度取得手段と、
前記露点温度特定手段と、
前記実蒸発温度取得手段と、
前記制御手段と、
前記室外機と通信する通信手段と
を有し、
前記制御手段は、前記通信手段を介して前記室外機に前記圧縮機の周波数を制御する制御指示を送信することを特徴とする請求項２乃至８の何れか１項に記載の空調制御システム。
【請求項１１】
前記制御手段は、前記実蒸発温度が前記露点温度以下の場合に、前記実蒸発温度が前記露点温度よりも高くなるまで、前記圧縮機の周波数を一定量ずつ段階的に下げ、かつ前記湿度調整装置が備える送風機の風量を一定量ずつ段階的に上げることを特徴とする請求項２に記載の空調制御システム。
【請求項１２】
前記制御手段は、前記実蒸発温度が前記露点温度よりも高くなるように、前記湿度調整装置が備える送風機の風量を制御すること特徴とする請求項１に記載の空調制御システム。
【請求項１３】
前記制御手段は、前記実蒸発温度が前記露点温度以下の場合に、前記実蒸発温度の差分に応じて、前記送風機の風量を下げることを特徴とする請求項１２に記載の空調制御システム。
【請求項１４】
前記制御手段は、前記実蒸発温度が前記露点温度以下の場合に、前記実蒸発温度が前記露点温度よりも高くなるまで、前記送風機の風量を一定量ずつ段階的に上げることを特徴とする請求項１２に記載の空調制御システム。
【請求項１５】
前記空調装置の設定温度に基づいて、目標蒸発温度候補を決定する目標蒸発温度候補決定手段と、
前記目標蒸発温度候補が前記露点温度以下の場合に、前記実蒸発温度よりも高い値を目標蒸発温度として決定し、前記目標蒸発温度候補が前記露点温度よりも高い場合に、前記目標蒸発温度候補を前記目標蒸発温度として決定する目標蒸発温度決定手段と
をさらに有し、
前記制御手段は、前記実蒸発温度が前記目標蒸発温度と等しくなるように、前記送風機の風量を制御することを特徴とする請求項１２に記載の空調制御システム。
【請求項１６】
前記空調装置は、
前記湿度取得手段と、
前記露点温度特定手段と、
前記実蒸発温度取得手段と、
前記制御手段と、
前記湿度調整装置と通信する通信手段と
をさらに有し、
前記制御手段は、前記通信手段を介して前記湿度調整装置に前記送風機の風量を制御する制御指示を送信することを特徴とする請求項１２乃至１５の何れか１項に記載の空調制御システム。
【請求項１７】
前記空調制御システムは、前記湿度調整装置及び前記空調装置と通信可能な管理装置をさらに備え、
前記管理装置は、
前記湿度取得手段と、
前記露点温度特定手段と、
前記実蒸発温度取得手段と、
前記制御手段と、
前記湿度調整装置及び前記空調装置と通信可能な通信手段と
をさらに有し、
前記制御手段は、前記通信手段を介して前記湿度調整装置に前記送風機の前記風量を制御する制御指示を送信することを特徴とする請求項１２乃至１５の何れか１項に記載の空調制御システム。
【請求項１８】
室内機及び室外機を有する空調装置と、前記空調装置の被空調空間の湿度を調整する湿度調整装置と、を制御する空調制御システムが実行する空調制御方法であって、
前記空調装置の被空調空間の湿度を取得する湿度取得ステップと、
前記湿度に基づいて、露点温度を特定する露点温度特定ステップと、
前記室内機が備える熱交換器に導かれる液冷媒管の温度を、冷媒の実蒸発温度として取得する実蒸発温度取得ステップと、
前記冷媒の実蒸発温度が前記露点温度よりも高くなるような制御を行う制御ステップと
を含むことを特徴とする空調制御方法。
【請求項１９】
室内機及び室外機を有する空調装置と、前記空調装置の被空調空間の湿度を調整する湿度調整装置と、を制御する空調制御システムのコンピュータを、
前記空調装置の被空調空間の湿度を取得する湿度取得手段と、
前記湿度に基づいて、露点温度を特定する露点温度特定手段と、
前記室内機が備える熱交換器に導かれる液冷媒管の温度を、冷媒の実蒸発温度として取得する実蒸発温度取得手段と、
前記冷媒の実蒸発温度が前記露点温度よりも高くなるような制御を行う制御手段と
して機能させるためのプログラム。
【請求項２０】
室内機及び室外機を有する空調装置と、前記空調装置の被空調空間の湿度を調整する湿度調整装置と、を制御する空調制御システムであって、
前記空調装置の被空調空間の湿度を取得する湿度取得手段と、
前記湿度に基づいて、露点温度を特定する露点温度特定手段と、
前記空調装置における設定に基づいて、前記空調装置の冷媒の目標蒸発温度を設定する設定手段と、
前記目標蒸発温度が前記露点温度よりも高くなるような制御を行う制御手段と
を有することを特徴とする空調制御システム。
【発明の詳細な説明】
【技術分野】
【０００１】
本発明は、空調制御システム、空調制御方法及びプログラムに関する。
【背景技術】
【０００２】
空調装置と、デシカントロータ等の湿度調整装置とにより、空調装置の被空調空間の温度及び湿度を調整するシステムが知られている。このようなシステムでは、空調装置が室内空気の温度を調整する一方で、湿度調整装置は、室外空気を取り込み、湿度を調整し、調整後の空気を室内へ供給する。特許文献１には、湿度調整装置としてデシカントロータを用いることで空調装置が除湿を行う必要がなく、結露処理のためのドレンを不要にできる技術が開示されている。
【先行技術文献】
【特許文献】
【０００３】
【特許文献１】特開平９−３１８１２６号公報
【発明の概要】
【発明が解決しようとする課題】
【０００４】
しかしながら、湿度調整装置により除湿を行うようなシステムにおいても、被空調空間の湿度に対して、湿度調整装置の除湿能力に余力がない場合がある。このような場合に、室内負荷に見合うように空調装置の能力を上げた結果、蒸発温度が露点温度を下回り、ドレン水が発生することがある。
【０００５】
本発明はこのような問題点に鑑みなされたもので、空調装置におけるドレン水の発生を抑制することを目的とする。
【課題を解決するための手段】
【０００６】
本発明は、室内機及び室外機を有する空調装置と、前記空調装置の被空調空間の湿度を調整する湿度調整装置と、を管理する空調制御システムであって、前記空調装置の被空調空間の湿度を取得する湿度取得手段と、前記湿度に基づいて、露点温度を特定する露点温度特定手段と、前記室内機が備える熱交換器に導かれる液冷媒管の温度を、冷媒の実蒸発温度として取得する実蒸発温度取得手段と、前記冷媒の実蒸発温度が前記露点温度よりも高くなるような制御を行う制御手段とを有することを特徴とする。
【０００７】
本発明の他の形態は、室内機及び室外機を有する空調装置と、前記空調装置の被空調空間の湿度を調整する湿度調整装置と、を制御する空調制御システムが実行する空調制御方法であって、前記空調装置の被空調空間の湿度を取得する湿度取得ステップと、前記湿度に基づいて、露点温度を特定する露点温度特定ステップと、前記室内機が備える熱交換器に導かれる液冷媒管の温度を、冷媒の実蒸発温度として取得する実蒸発温度取得ステップと、前記冷媒の実蒸発温度が前記露点温度よりも高くなるような制御を行う制御ステップとを含むことを特徴とする。
【０００８】
本発明の他の形態は、室内機及び室外機を有する空調装置と、前記空調装置の被空調空間の湿度を調整する湿度調整装置と、を制御する空調制御システムのコンピュータを、前記空調装置の被空調空間の湿度を取得する湿度取得手段と、前記湿度に基づいて、露点温度を特定する露点温度特定手段と、前記室内機が備える熱交換器に導かれる液冷媒管の温度を、冷媒の実蒸発温度として取得する実蒸発温度取得手段と、前記冷媒の実蒸発温度が前記露点温度よりも高くなるような制御を行う制御手段として機能させるためのプログラムである。
【０００９】
本発明の他の形態は、室内機及び室外機を有する空調装置と、前記空調装置の被空調空間の湿度を調整する湿度調整装置と、を制御する空調制御システムであって、前記空調装置の被空調空間の湿度を取得する湿度取得手段と、前記湿度に基づいて、露点温度を特定する露点温度特定手段と、前記空調装置における設定値に基づいて、前記空調装置の冷媒の目標蒸発温度を設定する設定手段と、前記目標蒸発温度が前記露点温度よりも高くなるような制御を行う制御手段とを有することを特徴とする。
【発明の効果】
【００１０】
本発明によれば、空調装置におけるドレン水の発生を抑制することができる。
【図面の簡単な説明】
【００１１】
【図１】空調管理システムの全体構成図である。
【図２】空調装置の冷凍サイクル系統図である。
【図３】制御部のハードウェア構成図である。
【図４】デシカント装置の概略構成図である。
【図５】制御処理を示すフローチャートである。
【図６】変形例に係る空調管理システムの全体構成図である。
【図７】第２の実施形態に係る制御処理を示すフローチャートである。
【図８】第３の実施形態に係る制御処理を示すフローチャートである。
【発明を実施するための形態】
【００１２】
（第１の実施形態）
図１は、空調制御システム１の全体構成図である。空調制御システム１は、空調装置１００と、湿度調整装置としてのデシカント装置２００とを備えている。空調装置１００は、室外機１１０と、室内機１２０と、を有している。室内機１２０とデシカント装置２００は、同一空間を処理対象とする。すなわち、デシカント装置２００は、室内機１２０が設置された空間Ａ、すなわち被空調空間の湿度調整を行う。室外機１１０とデシカント装置２００は、伝送線１０を介して通信可能に接続されているものとする。なお、他の例としては、室外機１１０とデシカント装置２００は、ネットワークを介して有線又は無線により通信可能に接続されていてもよい。
【００１３】
図２は、空調装置１００の冷凍サイクル系統図である。室外機１１０と室内機１２０は、ガス管１１及び液管１２で接続されている。室外機１１０は、制御部１１１と、圧縮機１１２と、圧縮機操作器１１３と、四方弁１１４と、アキュムレータ１１５と、室外熱交換器１１６と、室外送風機１１７と、室外膨張弁１１８と、を有している。制御部１１１は、室外機１１０の各部を制御する。圧縮機１１２は、インバータにより回転周波数を変更可能であり、圧縮機操作器１１３は、圧縮機１１２の周波数を操作する。
【００１４】
室内機１２０は、制御部１２１、室内熱交換器１２２、室内送風機１２３、室内膨張弁１２４と、を有している。また、室内機１２０は、乾球温度計１２５と、湿球湿度計１２６と、液冷媒温度計１２７と、を有している。乾球温度計１２５は、室内の乾球温度を計測する。湿球湿度計１２６は、室内の湿球湿度を計測する。液冷媒温度計１２７は、室内熱交換器１２２に接続する液管１２の温度を検出する。制御部１２１は、室内機１２０の各部を制御する。なお、室内機１２０の制御部１２１は、室外機１１０の制御部１１１と伝送線１５を介して通信可能である。
【００１５】
冷房運転では、圧縮機１１２より吐出された高温高圧のガス冷媒は、室外熱交換器１１６に送られ、室外熱交換器１１６に付設された室外送風機１１７の駆動により室外空気と熱交換して凝縮し、高圧の液冷媒となる。液冷媒は、全開の室外膨張弁１１８を通過し、液管１２を通じて室内機１２０に送られる。そして室内膨張弁１２４で減圧した後、室内熱交換器１２２で、付設された室内送風機１２３の駆動により室内空気と熱交換して低圧低温のガス冷媒となり、四方弁１１４、アキュムレータ１１５を通り圧縮機１１２に戻る。
【００１６】
一方、暖房運転では、圧縮機１１２で圧縮された高圧ガス冷媒が四方弁１１４を通り、ガス管１１を通して、室内機１２０の室内熱交換器１２２に供給される。ガス冷媒は、室内熱交換器１２２で室内空気を加熱しながら凝縮されて液冷媒となり、室内膨張弁１２４を通った後、液管１２を通じて室外機１１０に戻る。その後、冷媒は室外膨張弁１１８を通り、室外熱交換器１１６で室外空気と熱交換をすることで蒸発してガス冷媒となり、四方弁１１４、アキュムレータ１１５を通り、圧縮機１１２に戻る。
【００１７】
図３は、制御部１１１のハードウェア構成図である。制御部１１１は、ＣＰＵ１３０と、記憶部１３１と、通信部１３２と、を有している。ＣＰＵ１３０は、記憶部１３１に記憶された制御プログラムを読み出して各種処理を実行する。記憶部１３１は、各種データや各種プログラム等を記憶する。通信部１３２は、外部装置との通信を行う。通信部１３２は、例えば伝送線１５を介して室内機１２０との間で通信を行い、また伝送線１０を介してデシカント装置２００との間で通信を行う。なお、後述する制御部１１１の機能や処理は、ＣＰＵ１３０が記憶部１３１に格納されているプログラムを読み出し、このプログラムを実行することにより実現されるものである。また、他の例としては、ＣＰＵ１３０は、記憶部１３１に替えて、ＳＤカード等の記録媒体に格納されているプログラムを読み出してもよい。本実施形態においては、制御部１１１は、コンピュータにより実現されるものとする。ただし、制御部１１１が実現する機能の一部はハードウェア回路により実現されてもよい。また他の例としては、ＣＰＵ１３０の機能や処理の少なくとも一部は、例えば複数のＣＰＵ、ＲＡＭ、ＲＯＭ、及びストレージを協働させることにより実現してもよい。
【００１８】
図４は、デシカント装置２００の概略構成図である。デシカント装置２００は、制御部２０１と、送風機２０２と、熱交換器２０３と、デシカントロータ２０４と、ヒータ２０５と、タンク２０６と、を有している。送風機２０２により室外から取り込まれた空気は、熱交換器２０３を経由してデシカントロータ２０４に導かれる。デシカントロータ２０４のゼオライト等の乾燥剤により空気中の水分が吸着され、除湿された空気が被空調空間としての室内Ａへ送られる。なお、ゼオライトはゆっくりと回転し、ヒータ２０５の熱によって空気から吸着された水分を放出する。放出された水分は熱交換器２０３により冷却される。熱交換器２０３から流出した水は、タンク２０６に集められる。
【００１９】
なお、デシカント装置２００の構成は、図４に示すものに限定されるものではない。他の例としては、デシカント装置は、外気がデシカントロータを通過して室内に導入される際に外気中の水分を吸着する一方で、室内空気がデシカントロータを通過する際にデシカントロータから水分を奪い、外部に放出するような構成であってもよい。本構成については、例えば特開平９−３１８１２６号公報等を参照することができる。
【００２０】
図５は、制御部１１１が、冷房運転時に実行する制御処理を示すフローチャートである。Ｓ５００において、制御部１１１のＣＰＵ１３０は、制御部１２１を介して室内機１２０の乾球温度計１２５から乾球温度（Ｔｉ）を取得する。ＣＰＵ１３０はまた、制御部１２１を介して室内機１２０の湿球湿度計１２６から湿球湿度（Ｔｉｗ）を取得する。そして、ＣＰＵ１３０は、乾球温度（Ｔｉ）と湿球湿度（Ｔｉｗ）から露点温度（Ｔｗ）を求める。なお、ＣＰＵ１３０は、露点温度を求める際に、乾球温度（Ｔｉ）と湿球湿度（Ｔｉｗ）から露点温度を特定する参照テーブルを用いるものとする。Ｓ５００の処理は、湿度取得処理、露点温度特定処理の一例である。
【００２１】
次に、Ｓ５０１において、ＣＰＵ１３０は、制御部１２１を介して室内機１２０の液冷媒温度計１２７の計測結果を実蒸発温度（Ｔｌ）として取得する。本処理は、液冷媒管の温度を冷媒の実蒸発温度として取得する実蒸発温度取得処理の一例である。次に、Ｓ５０２において、ＣＰＵ１３０は、制御部１２１からユーザ操作に応じて設定された設定温度（Ｔｓ）を取得する。次に、Ｓ５０３において、ＣＰＵ１３０は、（式１）により圧縮機１１２の運転周波数（Ｆ）を決定する。
運転周波数（Ｆ）＝乾球温度（Ｔｉ）−設定温度（Ｔｓ）      …（式１）
【００２２】
次に、Ｓ５０４において、ＣＰＵ１３０は、Ｓ５０１において取得した実蒸発温度（Ｔｌ）とＳ５００において算出した露点温度（Ｔｗ）とを比較する。ＣＰＵ１３０は、実蒸発温度（Ｔｌ）が露点温度（Ｔｗ）以下の場合には（Ｓ５０４でＹＥＳ）、処理をＳ５０５へ進める。一方、ＣＰＵ１３０は、実蒸発温度（Ｔｌ）が露点温度（Ｔｗ）よりも高い場合には（Ｓ５０４でＮＯ）、処理をＳ５０６へ進める。
【００２３】
Ｓ５０５において、ＣＰＵ１３０は、圧縮機１１２の周波数を下げるよう制御する。具体的には、ＣＰＵ１３０はまず、露点温度（Ｔｗ）と実蒸発温度（Ｔｌ）の差分に応じて、周波数の下げ幅を決定する。そして、ＣＰＵ１３０は、圧縮機操作器１１３に対し、下げ幅を指定して、圧縮機１１２の周波数を下げるよう指示を出す。これに対応し、圧縮機操作器１１３は、圧縮機１１２の周波数を下げる。このように、圧縮機１１２の周波数を下げることで、実蒸発温度を上げることができる。
【００２４】
Ｓ５０５の処理の後、ＣＰＵ１３０は、処理をＳ５０６へ進める。Ｓ５０６において、ＣＰＵ１３０は、Ｓ５０４の処理が完了したタイミングから一定期間が経過するまで待機し、一定期間が経過すると（Ｓ５０６でＹＥＳ）、処理をＳ５００へ進める。制御部１１１は、以上の処理を繰り返すことで、実蒸発温度（Ｔｌ）が露点温度（Ｔｗ）を下回らないように制御することができる。これにより、ドレン水の発生を防ぐことができる。
【００２５】
以上のように、本実施形態に係る空調制御システム１においては、空調装置１００は、実蒸発温度と露点温度とを取得し、実蒸発温度が露点温度を下回らないように、圧縮機１１２の周波数を下げるよう制御する。これにより、空調制御システム１は、実蒸発温度が露点温度よりも高い状態を保つことができ、ドレン水の発生を抑えることができる。
【００２６】
本実施形態に係る空調制御システム１は、デシカント装置２００を備えるため、デシカント装置２００が除湿を行うことで、空調装置１００の蒸発温度を上げ、空調装置１００の消費電力を低減することができる。しかしながら、従来技術においても説明した通り、このような空調制御システム１においても、被空調空間の湿度に対してデシカント装置２００の除湿能力に余力がない場合がある。この場合には、室内負荷に見合うように空調装置１００の能力を上げた結果、蒸発温度が露点温度を下回る可能性がある。また、空調装置１００の始動時はアキュムレータ１１５への液戻りを防ぐために室外膨張弁１１８を絞り気味にすることで、実蒸発温度が過渡的に低下し、露点温度を下回るケースがある。
【００２７】
このように、実蒸発温度が露点温度を下回る可能性がある場合においても、本実施形態の空調制御システム１は、上記制御処理により、蒸発温度が露点温度を下回らないように制御し、ドレン水の発生を抑制することができる。
【００２８】
なお、第１の実施形態の第１の変形例としては、図５を参照しつつ説明した制御処理における、Ｓ５００〜Ｓ５０２の処理順は特に限定されるものではない。Ｓ５００及びＳ５０１の処理は、Ｓ５０４の処理が開始する前に完了していればよく、Ｓ５０２の処理は、Ｓ５０３の処理が開始する前に完了していればよい。
【００２９】
第２の変形例としては、乾球温度計１２５及び湿球湿度計１２６は、室内機１２０内に設けられている必要はなく、他の例としては、乾球温度計１２５及び湿球湿度計１２６は、いずれも室内機１２０とは別の装置として室内に設置されてもよい。この場合、乾球温度計１２５及び湿球湿度計１２６は、室外機１１０と通信可能とする。このように、室外機１１０の制御部１１１が、室内の乾球温度及び湿球湿度を取得できればよく、そのための構成は、実施形態に限定されるものではない。
【００３０】
第３の変形例としては、制御部１１１は、Ｓ５０５の処理において、圧縮機１１２の周波数を実蒸発温度と露点温度の差分によらず、一定の下げ幅で下げることとしてもよい。この場合も、制御部１１１は、Ｓ５００〜Ｓ５０６の処理を繰り返すことにより、適切な周波数になるまで、圧縮機１１２の周波数を段階的に下げることができ、実蒸発温度が露点温度よりも高くなるよう制御することができる。
【００３１】
第４の変形例としては、図５を参照しつつ説明した制御処理は、室外機１１０以外の装置が実行してもよい。例えば、図６に示すように、空調装置１００と、デシカント装置２００に加え、空調装置１００及びデシカント装置２００の少なくとも一方を管理する管理装置３００を備えたシステムにおいて、管理装置３００が制御処理を実行してもよい。なお、管理装置３００は、空調装置１００及びデシカント装置２００のうち少なくとも一方を管理する装置とする。また、管理装置３００は、室外機１１０及びデシカント装置２００とそれぞれ伝送線２１，２２を介して通信可能に接続されているものとする。なお、管理装置３００と室外機１１０及びデシカント装置２００の間の通信は、無線通信であってもよい。
【００３２】
この場合には、管理装置３００は、室外機１１０から乾球温度（Ｔｉ）、湿球湿度（Ｔｉｗ）、実蒸発温度（Ｔｌ）及び設定温度（Ｔｓ）を受信するものとする。また、管理装置３００は、Ｓ５０５においては、室外機１１０に圧縮機１１２の周波数を変更する制御指示を送信する。なお、管理装置３００のハードウェア構成は、図３を参照しつつ説明した制御部１１１のハードウェア構成と同様である。なお、管理装置３００はさらに、操作部や表示部などのユーザインタフェースを有してもよい。
【００３３】
また、他の例としては、デシカント装置２００が制御処理を実行することとしてもよい。この場合には、デシカント装置２００は、制御処理に必要な情報を室外機１１０から受信するものとし、デシカント装置２００が室外機１１０に圧縮機１１２の周波数を下げる指示を送信するものとする。
【００３４】
また、制御処理は、空調制御システム１が備える複数の装置が協働して実現することとしてもよい。例えば、Ｓ５００の処理を室外機１１０が行い、Ｓ５０１以降の処理を管理装置３００が行うこととしてもよい。
【００３５】
（第２の実施形態）
次に、第２の実施形態に係る空調制御システム１について、第１の実施形態に係る空調制御システム１と異なる点を主に説明する。第２の実施形態に係る空調制御システム１においては、制御部１１１は、制御処理において、圧縮機１１２の周波数を下げることで蒸発温度を上げるのにかえて、デシカント装置２００の送風機２０２の風量を上げることで、露点温度を下げる。
【００３６】
図７は、第２の実施形態に係る室外機１１０の制御部１１１による制御処理を示すフローチャートである。Ｓ７００において、制御部１１１のＣＰＵ１３０は、露点温度（Ｔｗ）を求める。Ｓ７００の処理は、図５を参照しつつ説明したＳ５００の処理と同様である。次に、Ｓ７０１において、ＣＰＵ１３０は、液冷媒温度計１２７の計測結果を実蒸発温度（Ｔｌ）として取得する。Ｓ７０１の処理は、Ｓ５０１の処理（図５）と同様である。次に、Ｓ７０２において、ＣＰＵ１３０は、実蒸発温度（Ｔｌ）と露点温度（Ｔｗ）とを比較する。ＣＰＵ１３０は、実蒸発温度（Ｔｌ）が露点温度（Ｔｗ）以下の場合には（Ｓ７０２でＹＥＳ）、処理をＳ７０３へ進める。一方、ＣＰＵ１３０は、実蒸発温度（Ｔｌ）が露点温度（Ｔｗ）よりも高い場合には（Ｓ７０２でＮＯ）、処理をＳ７０４へ進める。
【００３７】
Ｓ７０３において、ＣＰＵ１３０は、まず露点温度（Ｔｗ）と実蒸発温度（Ｔｌ）の差分に応じて、送風機２０２の送風量の上げ幅を決定する。そして、ＣＰＵ１３０は、送風機２０２の能力アップ運転指示を、通信部１３２を介してデシカント装置２００に送信する。ここで、能力アップ運転指示は、送風量の上げ幅が指定された運転指示である。なお、デシカント装置２００は、能力アップ運転指示を受信すると、能力アップ運転指示に従い、送風機２０２の送風量を上げて運転を行う。このように、送風機２０２の送風量を増加させることで、露点温度を下げることができる。
【００３８】
Ｓ７０３の処理の後、ＣＰＵ１３０は、処理をＳ７０４へ進める。Ｓ７０４において、ＣＰＵ１３０は、Ｓ７０１の処理が完了したタイミングから一定期間が経過するまで待機し、一定期間が経過すると（Ｓ７０４でＹＥＳ）、処理をＳ７０１へ進める。制御部１１１は、以上の処理を繰り返すことで、実蒸発温度（Ｔｌ）が露点温度（Ｔｗ）を下回らないように制御することができる。なお、第２の実施形態に係る空調制御システム１のこれ以外の構成及び処理は、第１の実施形態に係る空調制御システム１の構成及び処理と同様である。
【００３９】
以上のように、第２の実施形態に係る空調装置１００においては、実蒸発温度と露点温度とを取得し、実蒸発温度が露点温度を下回らないように、デシカント装置２００の送風機２０２の風量を上げるよう制御する。これにより、空調装置１００は、実蒸発温度が露点温度よりも高い状態を保つことができ、ドレン水の発生を抑えることができる。
【００４０】
なお、第２の実施形態に係る空調装置１００においても、第１の実施形態において説明したような変形例が可能である。すなわち、制御部１１１は、Ｓ７０３の処理において、一定の上げ幅で送風機２０２の送風量を増加することとしてもよい。また、図７を参照しつつ説明した制御処理は、室外機１１０以外の装置が実行してもよい。例えば、デシカント装置２００や管理装置３００が制御処理を実行してもよい。デシカント装置２００が実行する場合は、デシカント装置２００は、制御処理に必要な情報を室外機１１０から受信し、制御部２０１が送風機２０２に能力アップ運転指示を出す。
【００４１】
また、第２の実施形態に係る制御処理に第１の実施形態に係る制御処理を組み合せ、制御部１１１は、実蒸発温度が露点温度以下の場合には（Ｓ７０２でＹＥＳ）、Ｓ７０３の処理に加えて、Ｓ５０５の処理を行うこととしてもよい。この場合には、圧縮機１１２の周波数の下げ幅及び風量の上げ幅は、いずれも一定量とするのが好ましい。
【００４２】
（第３の実施形態）
次に、第３の実施形態に係る空調制御システム１について、他の実施形態に係る空調制御システム１と異なる点を主に説明する。第２の実施形態に係る空調制御システム１においては、制御部１１１は、制御処理において、必要冷房能力（Ｑｃ）を考慮した制御を行う。
【００４３】
図８は、第３の実施形態に係る室外機１１０の制御部１１１による制御処理を示すフローチャートである。Ｓ８００〜Ｓ８０２の処理は、それぞれＳ５００〜Ｓ５０２（図５）の処理と同様である。Ｓ８０２の処理の後、Ｓ８０３において、ＣＰＵ１３０は、乾球温度（Ｔｉ）と設定温度（Ｔｓ）の差分に応じて、必要冷房能力（Ｑｃ）を決定する。次に、Ｓ８０４において、ＣＰＵ１３０は、必要冷房能力（Ｑｃ）に基づいて、目標蒸発温度候補（Ｔｅｏ＿ｃ）を決定する。本処理は、目標蒸発温度候補決定処理の一例である。
【００４４】
ここで、目標蒸発温度（Ｔｅｏ＿ｃ）を決定する処理について説明する。冷房能力Ｑは、除湿を含む場合、下記（１）〜（３）の３点でバランスする。
（１）冷媒側熱交換量：Ｑ＝ＧR×（ＨRo−ＨRi）      …（式２）
ここで、ＧRは、冷媒循環量（ｋｇ／ｓ）、ＨRoは、出口冷媒エンタルピー（ｋＪ／ｋｇ）、ＨRiは、入口冷媒エンタルピー（ｋＪ／ｋｇ）である。
（２）空気側熱交換量：Ｑ＝Ｇa×（ｉai−ｉao）      …（式３）
ここで、Ｇaは、空気流量（ｋｇ／ｓ）、ｉaiは、入口空気エンタルピー（ｋＪ／ｋｇ）、ｉaoは、出口空気エンタルピー（ｋＪ／ｋｇ）である。
（３）管壁を通しての熱交換量：Ｑ＝Ａo×Ｕ×Δｉm      …（式４）
ここで、Ａoは、管外伝熱面積（ｍ2）、Ｕは、熱通過率（ｋｇ／（ｍ2・ｓ））、Δｉmは、対数平均エンタルピー差（ｋＪ／ｋｇ）である。
【００４５】
対数平均エンタルピー差は、冷媒出入り口温度（ＴRo、ＴRi）に相当する飽和空気エンタルピー（ｉRo、ｉRi）及び空気出入口エンタルピー（ｉai、ｉao）から求める。また、圧損のない２相冷媒の蒸発と仮定すれば、ｉRo＝ｉRiとできる。
Δｉｍ＝｛（ｉai−ｉRo）−（ｉao−ｉRi）｝／ｌｎ｛（ｉai−ｉRo）／（ｉao−ｉRi）｝      …（式５）
【００４６】
(式３)において、Ｇa及びｉaiは、既知（製品仕様から求まる値）であり、またセンサ値から取得することができる。そして、Ｑがわかれば、ｉaoが求まる。さらに、（式４）において、Ａo、Ｕは、既知（製品仕様から求まる値）であるため、ｉRo＝ｉRiが求まり、これに相当する冷媒出口温度（ＴRo、ＴRi）が必要な冷媒蒸発温度（Ｔｅｏ＿ｃ）となる。なお、空気出入り口エンタルピー（ｉai、ｉao）は湿り空気線図から求めることができる。
【００４７】
Ｓ８０４の処理の後、Ｓ８０５において、ＣＰＵ１３０は、目標蒸発温度候補（Ｔｅｏ＿ｃ）と露点温度（Ｔｗ）とを比較する。ＣＰＵ１３０は、目標蒸発温度候補（Ｔｅｏ＿ｃ）が露点温度（Ｔｗ）以下の場合には（Ｓ８０５でＹＥＳ）、処理をＳ８０６へ進める。一方、ＣＰＵ１３０は、目標蒸発温度候補（Ｔｅｏ＿ｃ）が露点温度（Ｔｗ）よりも高い場合には（Ｓ８０５でＮＯ）、処理をＳ８０７へ進める。
【００４８】
Ｓ８０６において、ＣＰＵ１３０は、「露点温度（Ｔｗ）＋α」を目標蒸発温度（Ｔｅｏ）として決定し、その後処理をＳ８０８へ進める。ここで、αは少なくとも０℃以上とする。すなわち、ＣＰＵ１３０は、Ｓ８０６において、目標蒸発温度（Ｔｅｏ）を露点温度（Ｔｗ）以上の温度に変更する。なお、「露点温度（Ｔｗ）＋α」のαとしては、室外機１１０の設計に応じた値が予め設定されているものとする。αとしては、例えば０℃、１℃等が挙げられる。また、Ｓ８０７において、ＣＰＵ１３０は、目標蒸発温度候補（Ｔｅｏ＿ｃ）を目標蒸発温度（Ｔｅｏ）として決定し、その後処理をＳ８０８へ進める。なお、Ｓ８０６及びＳ８０７の処理は、目標蒸発温度決定処理の一例である。
【００４９】
次に、Ｓ８０８において、ＣＰＵ１３０は、実蒸発温度（Ｔｌ）と目標蒸発温度（Ｔｅｏ）とを比較する。ＣＰＵ１３０は、実蒸発温度（Ｔｌ）が目標蒸発温度（Ｔｅｏ）よりも低い場合には（Ｓ８０８でＴｌ＜Ｔｅｏ）、処理をＳ８０９へ進める。ＣＰＵ１３０は、実蒸発温度（Ｔｌ）が目標蒸発温度（Ｔｅｏ）よりも高い場合には（Ｓ８０８でＴｌ＞Ｔｅｏ）、処理をＳ８１０へ進める。ＣＰＵ１３０は、実蒸発温度（Ｔｌ）と目標蒸発温度（Ｔｅｏ）が等しい場合には（Ｓ８０８でＴｌ＝Ｔｅｏ）、圧縮機１１２の周波数を変更することなく、処理をＳ８１１へ進める。
【００５０】
Ｓ８０９において、ＣＰＵ１３０は、圧縮機１１２の周波数を下げるよう制御する。具体的には、ＣＰＵ１３０はまず、実蒸発温度（Ｔｌ）と目標蒸発温度（Ｔｅｏ）の差分に応じて、周波数の下げ幅を決定する。そして、ＣＰＵ１３０は、圧縮機操作器１１３に対し、下げ幅を指定して、圧縮機１１２の周波数を下げるよう指示を出し、その後処理をＳ８１１へ進める。Ｓ８０９の処理に対応し、圧縮機操作器１１３は、圧縮機１１２の周波数を下げる。このように、圧縮機１１２の周波数を下げることで、実蒸発温度を上げることができる。
【００５１】
また、Ｓ８１０において、ＣＰＵ１３０は、圧縮機１１２の周波数を上げるよう制御する。具体的には、ＣＰＵ１３０は、実蒸発温度（Ｔｌ）と目標蒸発温度（Ｔｅｏ）の差分に応じて、周波数の上げ幅を決定し、上げ幅を指定して、圧縮機１１２の周波数を上げるよう圧縮機操作器１１３に指示を出し、その後処理をＳ８１１へ進める。Ｓ８１０の処理に対応し、圧縮機操作器１１３は、圧縮機１１２の周波数を上げる。このように、圧縮機１１２の周波数を上げることで、実蒸発温度を下げる。なお、Ｓ８０８〜Ｓ８１０の処理は、実蒸発温度と目標蒸発温度の大小関係に応じて周波数を制御する処理の一例である。さらに、他の例としては、Ｓ８０９及びＳ８１０において、ＣＰＵ１３０は、周波数を一定量ずつ増減することとしてもよい。
【００５２】
Ｓ８１１において、ＣＰＵ１３０は、Ｓ８０４の処理が完了したタイミングから一定期間が経過するまで待機し、一定期間が経過すると（Ｓ８１１でＹＥＳ）、処理をＳ８００へ進める。制御部１１１は、以上の処理を繰り返すことで、実蒸発温度（Ｔｌ）が露点温度（Ｔｗ）を下回らないように制御することができる。なお、第３の実施形態に係る空調制御システム１のこれ以外の構成及び処理は、他の実施形態に係る空調制御システム１の構成及び処理と同様である。
【００５３】
以上のように、第３の実施形態に係る空調制御システム１においては、実蒸発温度と目標蒸発温度との大小を比較することにより、実蒸発温度が露点温度を下回らないように、圧縮機１１２の周波数を下げるよう制御する。これにより、空調装置１００は、実蒸発温度が露点温度よりも高い状態を保つことができる。
【００５４】
なお、第３の実施形態の第１の変形例としては、Ｓ８０９及びＳ８１０において、制御部１１１は、圧縮機１１２の周波数だけでなく、デシカント装置２００の送風機２０２の風量を制御することとしてもよい。
【００５５】
また、第２の変形例としては、制御部１１１は、Ｓ８０８〜Ｓ８１０の処理に変えて、目標蒸発温度（Ｔｅｏ）が露点温度を下回らないように、圧縮機１１２の周波数を制御してもよい。すなわち、制御部１１１は、必要冷房能力（Ｑｃ）から圧縮機１１２の周波数（Ｆ）を決定した上で、目標蒸発温度（Ｔｅｏ）が露点温度（Ｔｗ）以下の場合には、圧縮機１１２の周波数を上げるように制御する。さらに、この場合には、制御部１１１は、実蒸発温度（Ｔｌ）は不要なため、実蒸発温度（Ｔｌ）を取得する処理（Ｓ８０１）も省略できる。
【００５６】
また、第３の変形例としては、制御部１１１は、Ｓ８０９及びＳ８１０において、圧縮機１１２の周波数の制御にかえて、または、周波数の制御と共に、デシカント装置２００の送風機２０２の送風量の制御を行ってもよい。
【００５７】
以上、実施形態について詳述してきたが、本発明はこれら特定の実施形態に限られるものではなく、この発明の要旨を逸脱しない範囲の様々な形態が本発明に含まれる。上述の実施形態及び変形例の一部を適宜組み合わせてもよい。
【符号の説明】
【００５８】
１  空調制御システム
１００  空調装置
１１０  室外機
１２０  室内機
２００  デシカント装置
【図１】
2020134064.tif 000003
【図２】
2020134064.tif 000004
【図３】
2020134064.tif 000005
【図４】
2020134064.tif 000006
【図５】
2020134064.tif 000007
【図６】
2020134064.tif 000008
【図７】
2020134064.tif 000009
【図８】
2020134064.tif 000010